(57)【要約】【課題】ヘッドセットとワイヤレスで通信可能な携帯端末において、消費電力を低減する。【解決手段】着信を報知する表示部１、スピーカー部８及びバイブレータ部９と、ヘッドセットに対してワイヤレスで通信する通信部１０とを有する構成において、通信部１０がヘッドセットと通信中においては、着信があった場合に表示部１、スピーカー部８及びバイブレータ部９にて着信を報知しない。【選択図】図１
2012222608.tif 000002
【特許請求の範囲】
【請求項１】
着信を報知する報知手段と、ヘッドセットに対してワイヤレスで通信する通信手段とを有する携帯端末において、
前記報知手段は、前記通信手段が前記ヘッドセットと通信中においては、着信があった場合に当該着信を報知しないことを特徴とする携帯端末。
【請求項２】
請求項１に記載の携帯端末において、
前記通信手段は、前記ヘッドセットと通信中においては、着信があった場合にその旨を前記ヘッドセットに通知する携帯端末。
【発明の詳細な説明】
【技術分野】
【０００１】
本発明は、携帯電話機等の携帯端末に関し、特に、ヘッドセットとワイヤレスで通信可能な携帯端末における消費電力の低減技術に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになっている。このような携帯電話機では、電話や電子メールの着信時に、これらと連動して表示部に着信表示を行うとともに、メロディ鳴動やバイブレータ動作等の機能が動作し、それにより、携帯電話機の使用者に電話や電子メールの着信を知らせている。
【０００３】
このような機能を動作させる場合においては、表示部における表示やメロディ鳴動やバイブレータ動作のための電力が消費されることになるが、近年、スライド式携帯電話やスマートフォンの開発により表示部の大画面化が進んでおり、電話や電子メールの着信時の消費電力が増大している。そして、このような機能は、公共機関や移動中等の通話ができない状況であっても動作することになるため、不必要な電力が消費されてしまうこととなり、携帯電話機の使用時間を短くしている。
【０００４】
そこで、所定のボタンが操作された場合に、着信があった場合でも着信音を鳴動させないようにする技術が特許文献１に開示されている。また、電話または電子メールの着信時における、表示部やスピーカー、バイブレータ等の報知手段のＯＮ／ＯＦＦをユーザが設定可能とする技術が特許文献２に開示されている。これらの技術を用いれば、所定の操作を予め行っておくことにより、電話や電子メールの着信時においても、表示部やスピーカー、バイブレータ等の報知手段が動作することがなくなり、不必要な電力が消費されてしまうことを回避できるようになる。
【先行技術文献】
【特許文献】
【０００５】
【特許文献１】実開平０３−３９９４８号
【特許文献２】特開２００５−２６９２５５号公報
【発明の概要】
【発明が解決しようとする課題】
【０００６】
近年、ヘッドセットに対してBluetoothを用いてワイヤレスで音楽等の情報を送信する携帯端末が利用されている。このような携帯端末は、ユーザが耳に装着したヘッドセットに対して、Bluetoothを用いてワイヤレスで音楽等の情報を送信することができ、普及が進んでいる。
【０００７】
しかしながら、このようなヘッドセットを用いてユーザが音楽等を聴いている場合においても、上記同様に電話や電子メールの着信があると、表示部やスピーカー、バイブレータ等の報知手段が動作することになるため、携帯電話機の電力が消費されてしまうという問題点がある。
【０００８】
本発明は、上述したような技術が有する問題点に鑑みてなされたものであって、ヘッドセットとワイヤレスで通信可能な携帯端末において、消費電力を低減することができる携帯端末を提供することを目的とする。
【課題を解決するための手段】
【０００９】
上記目的を達成するために本発明は、
着信を報知する報知手段と、ヘッドセットに対してワイヤレスで通信する通信手段とを有する携帯端末において、
前記報知手段は、前記通信手段が前記ヘッドセットと通信中においては、着信があった場合に当該着信を報知しないことを特徴とする。
【発明の効果】
【００１０】
以上説明したように本発明は、着信を報知する報知手段が、ヘッドセットに対してワイヤレスで通信する通信手段がヘッドセットと通信中においては、着信があった場合に着信を報知しない構成としたため、消費電力を低減することができる。
【図面の簡単な説明】
【００１１】
【図１】本発明の携帯端末の実施の一形態を示す図であり、（ａ）は構成ブロック図、（ｂ）は外観図である。
【図２】図１に示した携帯電話機の動作を説明するためのフローチャートである。
【図３】図１に示した携帯電話機における着信時の表示部の表示を示す図であり、（ａ）は着信非表示モードに設定されていない場合の表示を示す図、（ｂ）は着信非表示モードに設定された場合の表示を示す図である。
【発明を実施するための形態】
【００１２】
以下に、本発明の実施の形態について図面を参照して説明する。
【００１３】
図１は、本発明の携帯端末の実施の一形態を示す図であり、（ａ）は構成ブロック図、（ｂ）は外観図である。
【００１４】
本形態は図１に示すように、電話や電子メールの着信等の情報を表示する表示部１と、この携帯電話機１００を駆動する回路電源部２と、携帯電話機１００の使用者からの命令が入力される操作部３と、電話や電子メールの通信を行う無線部５及びアンテナ部６と、音声を出力したり電話や電子メールの着信時に鳴動したりするスピーカー部８と、電話や電子メールの着信時に動作するバイブレータ部９と、スピーカー部８における鳴動メロディや携帯電話機１００を動作させるためのプログラムが格納された記憶部７と、記憶部７に記憶された音楽等の情報をヘッドセットに対してBluetoothを用いてワイヤレスで送信する通信部１０と、これらを制御する制御部４とを有しており、表示部１、スピーカー部８及びバイブレータ部９が、本発明における報知手段となる。
【００１５】
以下に、上記のように構成された携帯電話機１００の動作について説明する。
【００１６】
図２は、図１に示した携帯電話機１００の動作を説明するためのフローチャートである。
【００１７】
通信部１０において、記憶部２７に記憶された音楽等の情報をヘッドセットに対してBluetoothを用いてワイヤレスで送信することによりヘッドセットと通信中においては（ステップ１）、制御部４の制御によって携帯電話機１００が着信非表示モードに設定される（ステップ２）。
【００１８】
すると、着信非表示モード設定中を示すメッセージが表示部１に表示される（ステップ３）。
【００１９】
そして、着信非表示モード設定中において他の携帯電話機から電話や電子メールの着信があった場合（ステップ４）、着信動作は制御部４及び記憶部７の動作のみとし、表示部１における着信の表示や、スピーカー部８からのメロディ鳴動やバイブレータ部９の動作は行われない（ステップ５）。
【００２０】
図３は、図１に示した携帯電話機１００における着信時の表示部１の表示を示す図であり、（ａ）は着信非表示モードに設定されていない場合の表示を示す図、（ｂ）は着信非表示モードに設定された場合の表示を示す図である。
【００２１】
通信部１０においてヘッドセットに対して通信が行われていない場合は、携帯電話機１００が着信非表示モードに設定されておらず、その場合に他の携帯電話機から電話や電子メールの着信があると、図３（ａ）に示すように、着信中である旨や着信相手の電話番号等の情報が表示部１に表示される。
【００２２】
また、通信部１０においてヘッドセットに対して通信が行われている場合は、携帯電話機１００が着信非表示モードに設定されており、図３（ｂ）に示すように、着信非表示モード設定中を示すメッセージが表示部１に表示され、その場合に他の携帯電話機から電話や電子メールの着信があっても、着信中である旨や着信相手の電話番号等の情報は表示されず、着信動作は制御部４及び記憶部７の動作といった内部処理のみとなる。またこの際、着信があった旨が通信部１０からヘッドセットに通知され、ヘッドセットにおいて着信が報知される。
【００２３】
その後、通信部１０におけるヘッドセットとの通信が終了すると（ステップ６）、制御部４の制御によって、着信非表示モードが解除される（ステップ７）。
【００２４】
このように本形態においては、ヘッドセットとの通信中は、電話や電子メールの着信があった場合、着信時の動作は内部処理のみとし、表示部１における着信表示や、スピーカー部２８におけるメロディ鳴動、バイブレータ部９の動作等の携帯電話機１００の使用者へ着信の報知を行わないことにより、着信時に動作する消費電力を削減することができる。
【符号の説明】
【００２５】
１    表示部
２    回路電源部
３    操作部
４    制御部
５    無線部
６    アンテナ部
７    記憶部
８    スピーカー部
９    バイブレータ部
１０    通信部
１００    携帯電話機
【図１】
2012222608.tif 000003
【図２】
2012222608.tif 000004
【図３】
2012222608.tif 000005